(57)【要約】      （修正有）【課題】ブルートゥース（登録商標）及びＮＦＣを統合し、映像伝送を具有するアクセス制御システムの構造を提供する。【解決手段】ブルートゥースとＮＦＣを統合し、映像伝送を具有するアクセス制御システムの構造であり、非接触型自動識別技術で、アクセス制御装置１０、携帯通信のブルートゥースとＮＦＣ伝送設備１２、携帯電話のＡＰＰ及び該カメラ機能、アクセス先端応用プログラム及び管理センター１１を統合したアクセス管理制御システムで唯一の携帯カギを形成し、自動識別技術及び即時の伝送能力を有し、携帯装置のシリアルナンバー、タイムスタンプ及びアクセス制御装置番号を搭載し、携帯電話のＡＰＰを通じて、ＩＭＥＩやＩＭＳＩのような携帯電話設備識別コードと、アクセス制御装置のブルートゥースアドレス番号をアクセス先端の応用プログラムに送り、アクセス先端応用プログラムは識別コード、タイムスタンプ及び要求を管理センターに送信し、身分認証と管制ドアの開門作業を行う。【選択図】図１
0003198191.tif 000002
【実用新案登録請求の範囲】
【請求項１】
アクセス制御装置、管理センター及び応用プログラムインターフェイスを含み、
該アクセス制御装置に含まれるのは一つのマイクロ制御モジュール、一つの該マイクロ制御モジュールと電気接続するブルートゥース（登録商標）モジュール、一つの該マイクロ制御モジュールと電気接続するＮＦＣ受信モジュール、及び該ブルートゥース（登録商標）モジュール及び該ＮＦＣ受信モジュールと非接触型伝送を行う一つの携帯通信装置のブルートゥース（登録商標）及びＮＦＣ通信であり、それに携帯通信装置の識別コード及びタイムスタンプをオーバーレイし、ユーザー情報及び映像を伝送する機能を持ち、及び、
該アクセス制御装置内部の一つのネットワークモジュールが管理センターと接続することで、ブルートゥース（登録商標）モジュール及びＮＦＣ受信モジュールが読み取ったユーザーの関連情報を管理センターに送り、管理センターがデータ識別比較するのを待ち、及び、
管理センターは先端から送られる応用プログラムの情報を受信し、データ内容に基づきインターネットを通じて、アクセス制御装置内部のネットワークモジュールと接続し、指令をマイクロ制御モジュールに送って指令確認をし、確認後、該マイクロ制御モジュールはドアロック制御モジュールを起動して管制ドアを開け、同時に情報内容を管理センターのホストコンピューター内に記録し、タイム制御管理機能を持ち、及び、
応用プログラムインターフェイスは、該アクセス制御システムの通行記録を第三者のシステム開発者に提供し、データキャプチャインターフェイス(Deta Capture Interfaces)を行うことで、企業或いは会社の現有のほかのシステムと結合しやすくなることを特徴とするブルートゥース（登録商標）及びＮＦＣを統合し、映像伝送を具有するアクセス制御システムの構造。
【請求項２】
前記携帯通信装置のブルートゥース（登録商標）及びＮＦＣ通信は、一つの携帯電話応用プログラムのＡＰＰを提供し、ユーザーのグラフヒューマンマシーンインターフェイスを提供することができ、ブルートゥース（登録商標）通信或いはＮＦＣ通信を選択することができ、及びオンラインパスワードを入力、或いは携帯電話のＮＦＣを通じて、自動的にブルートゥース（登録商標）を呼び起こしてメイン通信にすると選択することができ、且つ携帯電話内蔵のカメラ機能を使って、映像及びユーザー情報を伝送することを特徴とする請求項１記載のブルートゥース（登録商標）及びＮＦＣを統合し、映像伝送を具有するアクセス制御システムの構造。
【考案の詳細な説明】
【技術分野】
【０００１】
本考案は非接触型の自動識別技術の構造に関し、ブルートゥース（登録商標）及びＮＦＣ(Near Field Communication、近距離無線通信)の伝送及び、スマートホーンなどの携帯通信能力の読み取り設備を通じて、非接触型で携帯通信設備に搭載するＩＭＥＩやＩＭＳＩ及びタイムスタンプなどの識別コードを読み取るブルートゥース（登録商標）及びＮＦＣを統合し、映像伝送を具有するアクセス制御システム（Integrated Bluetooth and NFC with Image Transmission that Access Control System)に関する。更に詳しくは、携帯電話のＡＰＰを使って携帯通信設備の識別コード及びアクセス制御器装置のブルートゥース（登録商標）アドレス番号をアクセス先端の応用プログラムに送り、アクセス先端の応用プログラムにより識別コード、タイムスタンプ及び要求を後方の管理センターに送り、身分確認及び開門を管制する。また、ファイリング或いは比較に便利なように、携帯電話の内蔵カメラで顔写真をアクセス制御装置のブルートゥース（登録商標）を通じて後方の管理センターに送ることもできるブルートゥース（登録商標）及びＮＦＣを統合し、映像伝送を具有するアクセス制御システムの構造に関する。
【背景技術】
【０００２】
従来の無線のアクセス制御システムは、携帯装置のブルートゥース（登録商標）伝送の読み取り設備を統合するが、ロックを開ける時間の管理制御及び映像情報に欠けているため、随時現有の無線アクセス制御システムのコードを使って管制ドアを開けることができる。よって、ホテルやオフィスビルで従来の無線アクセスシステムを使用しては、安全面では憂いが残る。
【０００３】
中華民国公知の特許申請案第Ｉ３３８７４０号(申請番号097106962、申請日2008/02/29)は、現有の無線アクセス制御システムは、携帯装置の中にユーザー個人情報を入力した後、Ｗｉ-Ｆｉを介してインターフェイス読み取りの識別モジュールに伝送し、更に近位或いは遠位で管理センターに伝送して識別を行う。しかし、このプロセス及び技術では、ドアの開放時間及び限定したユーザーが時間を操作できるよう設定していないため、ユーザーが間違った時間に管制ドアを開けるのを避けることができず、間違った開門要求を発することになる。
【０００４】
中華民国公知の特許申請案第Ｉ３３８７４０号(申請番号097106962、申請日2008/02/29)は、携帯装置よりユーザーの個人情報を入力すれば、窃取及びコピーされやすく、現有の無線アクセス制御システムは、システム識別として携帯装置に内蔵する識別コードの独特性に欠けると同時に、事後追跡しやすい映像のファイリングを作成していないため、仮に不肖の輩がユーザー個人情報を入手できれば、簡単に管制ドアを開けることができることを鑑みて、更なる改善が必要であった。
【先行技術文献】
【特許文献】
【０００５】
【特許文献１】中華民国特許申請案第Ｉ３３８７４０号
【考案の概要】
【考案が解決しようとする課題】
【０００６】
前記公知構造の欠点を解決するために、本考案は今や一人に一台携帯電話を持つ普及率の高さ及び携帯通信装置の識別コードの独自性、タイムスタンプを統合し、特定の時間内に特定の管制ドアを開けることができ、また、携帯電話内蔵のカメラ機能を使って、管理システムに伝送し、使用記録を残すことで、出勤チェック或いは安全管理に便利となるブルートゥース（登録商標）及びＮＦＣを統合し、映像伝送を具有するアクセス制御システムの構造を提供することを主な課題とする。
【課題を解決するための手段】
【０００７】
上記の目的を解決するために、本考案はブルートゥース（登録商標）及びＮＦＣを統合し、映像伝送を具有するアクセス制御システムの構造を提供する。
【０００８】
本考案に含まれるのは一つのアクセス制御装置、一つの管理センター及び一つの応用プログラムインターフェイスである。該アクセス制御装置の内部に一つのマイクロ制御モジュールを設け、該マイクロ制御モジュールは一つのブルートゥース（登録商標）モジュール及び一つのＮＦＣ受信モジュールを接続し、非接触型伝送を提供し、且つ携帯通信装置のブルートゥース（登録商標）及びＮＦＣ通信と接続し、携帯通信装置の識別コード及びタイムスタンプをオーバーレイし、ユーザー情報及び映像を伝送する機能を持つ。
【０００９】
該アクセス制御装置内部にある一つのネットワークモジュールが管理センターと接続することにより、ブルートゥース（登録商標）モジュール及びＮＦＣ受信モジュールが読み取ったユーザー関連情報を管理センターに伝送し、管理センターにてデータ識別と比較を行う。
【００１０】
管理センターは先端から送られる応用プログラムの情報を受信し、データ内容に基づきインターネットを通じて、アクセス制御装置内部のネットワークモジュールと接続し、指令をマイクロ制御モジュールに送って指令確認を行う。確認後、該マイクロ制御モジュールはドアロック制御モジュールを起動して管制ドアを開け、同時に情報内容を管理センターのホストコンピューター内に記録し、タイム制御管理機能を持つ。
【００１１】
応用プログラムインターフェイスは、該アクセス制御システムの通行記録を第三者のシステム開発者に提供し、データキャプチャインターフェイス(Deta Capture Interfaces)を行うことで、企業或いは会社の現有のほかのシステムと結合しやすくなる。
【００１２】
本考案は携帯通信装置のブルートゥース（登録商標）通信及びＮＦＣ設備を使用しているため、Ｗｉ-Ｆｉの範囲内に限らず使用することができ、ハードディスクのメンテナンスコストを下げ、及び便利性を上げる特徴を持つ。また、ユーザーの権限を表示してから管制ドアを開けることができるため、データ伝送する際に開けようとする管制ドアのコードをも送るため、ユーザーが誤って押して誤った開門要求の伝送を避けることができる。
【００１３】
本考案は携帯通信設備にある識別コードを判断の拠り所としている。現在社会において、携帯通信設備は個人のプライベートの品物の一つとなっている。不肖な輩がユーザーの個人情報を取得したとしても、ユーザーの携帯通信設備で操作しなければ管制ドアを開けることができないため、セキュリティの面で更なるプロテクトを施すことになる。
【考案の効果】
【００１４】
本考案はブルートゥース（登録商標）及びＮＦＣを統合し、映像伝送を具有するアクセス制御システムにより、携帯電話のＡＰＰを使って携帯通信設備の識別コード及びアクセス制御器装置のブルートゥース（登録商標）アドレス番号をアクセス先端の応用プログラムに送り、アクセス先端の応用プログラムにより識別コード、タイムスタンプ及び要求を後方の管理センターに送り、身分確認及び開門を管制する。
また、ファイリング或いは比較できるよう、携帯電話の内蔵カメラで顔写真をアクセス制御装置のブルートゥース（登録商標）を通じて後方の管理センターに送ることができる。
【図面の簡単な説明】
【００１５】
【図１】本考案の全体システムの骨組み略図である。
【図２】本考案のアクセス制御装置端のモジュール略図である。
【図３】本考案のプロセス図である。
【考案を実施するための形態】
【００１６】
以下、本考案の構造と特徴および効果を、最良実施例と図面を参照しながら詳細に説明する。
【実施例】
【００１７】
図１に示すように、本考案はブルートゥース（登録商標）及びＮＦＣを統合し、映像伝送を具有するアクセス制御システムを提供するものである。該アクセス制御システムに含まれるのは携帯通信装置の一つの携帯通信装置のブルートゥース（登録商標）及びＮＦＣ通信１２及び、該ハードディスクアクセス制御装置１０である。該アクセス制御装置１０の内側に一つの電磁ロック或いは電子スイッチを設ける。携帯通信装置のブルートゥース（登録商標）及びＮＦＣ通信１２に、ユーザーの個人情報及び携帯電話内蔵のカメラ機能を入力し、アクセス制御装置１０が信号を読み取ると、その情報を管理センター１１に伝送し、管理センター１１はその情報を記録する。
情報とデータバンクにある情報が合致するか否かを比較し、比較した結果をアクセス制御装置１０に伝送する。同時に本考案が提供するＡＰＩ (Application Programming Interface)応用プログラムインターフェイス１３を使って、その記録を他のシステムに記載する。アクセス制御装置１０は該比較結果及び該ユーザーの個人情報を表示する。ユーザーが順調に通過でき、一つの携帯通信装置のブルートゥース（登録商標）通信設備を形成するデザインは、ユーザーは個人情報が盗まれる心配がないだけでなく、高い安全性、プライバシーがあると同時に、管理センター１１に記録が残り、及びＡＰＩ１３も他のシステムに記録を残してデータ運算するのを介し、管制ドアに出入りできる時間を管理制御することができ、情報の安全を守る。
【００１８】
図２に示すのは、本考案のアクセス制御装置１０端の組立平面図である。内部構造に含まれるのはＮＦＣ受信モジュール２１、マイクロ制御モジュール２２、ドアロック制御モジュール２３、ブルートゥース（登録商標）モジュール２４、ネットワークモジュール２５である。本アクセス制御装置１０はＮＦＣ受信モジュール２１或いはブルートゥース（登録商標）モジュール２４を通じて、ユーザーの携帯通信装置のブルートゥース（登録商標）及びＮＦＣ通信１２の信号を受信し、更にマイクロ制御モジュール２２を通じてその信号をネットワークモジュール２５に転送し、管理センター１１に伝送する。
管理センター１１で運算した後、ネットワークモジュール２５を通じて開門情報指令をマイクロ制御モジュール２２に送り判断をする。マイクロ制御モジュール２２が開門情報指令を受信して、誤りがないと判断すると、一つの指令をドアロック制御モジュール２３に発送し、電磁ロック或いは電子スイッチを開け、アクセス制御システムのゲートウェイとする。
【００１９】
図３は本考案のアクセス制御システムの使用プロセス図である。ユーザーはＡＰＰプログラムをダウンロードした携帯通信装置を持ち、ブルートゥース（登録商標）モジュール２４或いはＮＦＣ受信モジュール２１を設置した管制ドアに近づく際、ユーザーはＡＰＰプログラムを開き、該携帯通信装置で無線範囲内のアクセス制御装置１０を検索する。検索したアクセス制御装置１０を該携帯通信装置に表示すると、ユーザーはＡＰＰプログラムの中からロックを解除したいドアを選択できる。
【００２０】
ユーザーがロックを解除したいドアを選択すると、該携帯通信装置は該ユーザーがＡＰＰプログラムの中に保存したデータ(ユーザー個人情報)を、無線通信技術を使ってブルートゥース（登録商標）モジュール２４或いはＮＦＣ受信モジュール２１を具有するアクセス制御装置１０に送信し、且つインターネットを使ってドアコード及びユーザー個人情報を管理センター１１のデータバンク内に送って保存する。
該管理センター１１は該ユーザーの権限を識別し、権限が合致すると、該管理センターは開門信号を該管制ドアに送り、該ロックを解除すると同時に、ブルートゥース（登録商標）モジュール２４或いはＮＦＣ受信モジュール２１を使ってＡＰＰにプログラム終了を通知する、或いは電源を切ることで、ロック解除のプロセスを完了する。ユーザーの権限が合致しない場合、該管理センター１１は如何なる情報をも該管制ドアのアクセス制御装置１０に送らないため、該管制ドアはドアロックを解除せず、ドアロック管理制御の目的に達する。
【００２１】
上記により、本考案はスペース及び安全面で確実に革新しただけでなく、現有の無線のアクセス制御システムを改良した。
【００２２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２３】
１０  アクセス制御装置
１１  管理センター
１２  携帯通信装置のブルートゥース（登録商標）及びＮＦＣ通信
１３  ＡＰＩ (Application Programming Interface)応用プログラムインターフェイス
２１  ＮＦＣ受信モジュール
２２  マイクロ制御モジュール
２３  ドアロック制御モジュール
２４  ブルートゥース（登録商標）モジュール
２５  ネットワークモジュール
【図１】
0003198191.tif 000003
【図２】
0003198191.tif 000004
【図３】
0003198191.tif 000005